【手続補正書】
【提出日】令和2年12月3日(2020.12.3)
【手続補正１】
【補正対象書類名】明細書
【補正対象項目名】０００５
【補正方法】変更
【補正の内容】
【０００５】
本発明者らが鋭意検討を重ねた結果、低温定着性、耐ホットオフセット性に優れ、着色力に優れたマゼンタトナー及びトナーキットを提供するためには、下記の構成が重要であることを見出し、本発明に至った。
すなわち、本発明は、結着樹脂、着色剤、ワックス、ワックス分散剤及び結晶性ポリエステルを含有するマゼンタトナー粒子を有するマゼンタトナーであり、
前記ワックス分散剤が、炭化水素化合物にスチレンアクリル系樹脂がグラフト重合している重合体であって、前記スチレンアクリル系樹脂が、下記式（２）：
【化１】
2019101279.tif 000001
［前記式（２）中、Ｒ1は水素原子又はメチル基を表し、Ｒ2は飽和脂環式基を表す。］
で表されるモノマーユニットを有しており、
前記着色剤が、下記式（１）で示される化合物（１）を含有し、
前記マゼンタトナー粒子中の前記化合物（１）の含有量が、前記結着樹脂１００質量部に対して０．５質量部以上２０．０質量部以下であり、
前記着色剤が、前記化合物（１）以外に、さらに、ナフトール系化合物、キナクリドン系化合物、及びそれらのレーキ化合物からなる群より選ばれる少なくとも１種の化合物を含有し、
透過型電子顕微鏡（ＴＥＭ）観察による前記マゼンタトナー粒子の断面において、観察される前記結晶性ポリエステルの結晶が分散しており、
前記結晶の断面の長さが５０ｎｍ以下である
ことを特徴とするマゼンタトナーに関する。
【手続補正２】
【補正対象書類名】明細書
【補正対象項目名】０００６
【補正方法】変更
【補正の内容】
【０００６】
【化２】
2019101279.tif 000002
また、本発明は、シアントナー、ブラックトナー、イエロートナー、及びマゼンタトナーを有するトナーキットであり、
前記マゼンタトナーが上記構成のマゼンタトナーであり、
前記ブラックトナーが、結着樹脂、着色剤、ワックス、ワックス分散剤及び結晶性ポリエステルを含有するブラックトナー粒子を有するブラックトナーであり、
前記イエロートナーが、結着樹脂、着色剤、ワックス、ワックス分散剤及び結晶性ポリエステルを含有するイエロートナー粒子を有するイエロートナーであり、
前記シアントナーが、結着樹脂、着色剤、ワックス、ワックス分散剤及び結晶性ポリエステルを含有するシアントナー粒子を有するシアントナーであり、
前記ブラックトナー粒子、前記イエロートナー粒子、及び前記シアントナー粒子中の前記ワックス分散剤が、それぞれ、炭化水素化合物にスチレンアクリル系樹脂がグラフト重合している重合体であって、前記スチレンアクリル系樹脂が、それぞれ、上記式（２）で表わされるモノマーユニットを有しており、
透過型電子顕微鏡（ＴＥＭ）観察による前記ブラックトナー粒子、前記イエロートナー粒子、及び前記シアントナー粒子の断面において、それぞれ、針状で観察される前記結晶性ポリエステルの結晶が分散しており、前記結晶の断面の長軸長さが、それぞれ、６０ｎｍ以上２５０ｎｍ以下である
ことを特徴とするトナーキットに関する。
【手続補正３】
【補正対象書類名】明細書
【補正対象項目名】００５１
【補正方法】変更
【補正の内容】
【００５１】
例えば、スチレンアクリル系樹脂が、下記式（２）で表されるモノマーユニットを有する態様が挙げられる。
【手続補正４】
【補正対象書類名】明細書
【補正対象項目名】００５３
【補正方法】変更
【補正の内容】
【００５３】
【化６】
2019101279.tif 000003
［前記式（２）中、Ｒ1は水素原子又はメチル基を表し、Ｒ2は飽和脂環式基を表す。］
【手続補正５】
【補正対象書類名】明細書
【補正対象項目名】００５９
【補正方法】変更
【補正の内容】
【００５９】
本発明において、式（２）で表されるモノマーユニットの含有割合は、前記スチレンアクリル系樹脂を構成する全モノマーユニットを基準として、１．５ｍｏｌ％以上４５．０ｍｏｌ％以下であることが好ましく、３．０ｍｏｌ％以上２５．０ｍｏｌ％以下であることがより好ましい。
【手続補正６】
【補正対象書類名】明細書
【補正対象項目名】００６５
【補正方法】変更
【補正の内容】
【００６５】
本発明において、上記スチレンアクリル系樹脂は、下記式（３）で表されるモノマーユニットを有することが、トナーの低温定着性の観点から好ましい。
【手続補正７】
【補正対象書類名】明細書
【補正対象項目名】００６６
【補正方法】変更
【補正の内容】
【００６６】
上記スチレンアクリル系樹脂が、式（３）で表されるモノマーユニットを有する場合、前記ワックス分散剤のガラス転移温度（Ｔｇ）が低下する傾向にある。その結果、前記ワックス分散剤がトナー粒子に含有された場合、トナーが高温高湿下に放置されても帯電性が低下せず、かつ、低温定着性がさらに向上する。
【手続補正８】
【補正対象書類名】明細書
【補正対象項目名】００６７
【補正方法】変更
【補正の内容】
【００６７】
本発明において、式（３）で表されるモノマーユニットの含有割合は、前記スチレンアクリル系樹脂を構成する全モノマーユニットを基準として、５．０ｍｏｌ％以上３０．０ｍｏｌ％以下であることが好ましく、１０．０ｍｏｌ％以上２０．０ｍｏｌ％以下であることがより好ましい。
【手続補正９】
【補正対象書類名】明細書
【補正対象項目名】００６８
【補正方法】変更
【補正の内容】
【００６８】
【化７】
2019101279.tif 000004
［前記式（３）中、Ｒ3は水素原子又はメチル基を表し、ｎは１以上１８以下の整数を表す（ｎは、３以上１２以下の整数であることが好ましい。）］
【手続補正１０】
【補正対象書類名】明細書
【補正対象項目名】０２９６
【補正方法】変更
【補正の内容】
【０２９６】
得られたブラックトナーＫ２〜Ｋ７のＤＳＣ測定において、結晶性ポリエステル樹脂に由来する吸熱ピークが観察された。また、表６に結晶性ポリエステル樹脂の結晶の長さの個数平均径（ｎｍ）とＳＰ２−ＳＰ１を示した。
【手続補正１１】
【補正対象書類名】特許請求の範囲
【補正対象項目名】全文
【補正方法】変更
【補正の内容】
【特許請求の範囲】
【請求項１】
結着樹脂、着色剤、ワックス、ワックス分散剤及び結晶性ポリエステルを含有するマゼンタトナー粒子を有するマゼンタトナーであり、
前記ワックス分散剤が、炭化水素化合物にスチレンアクリル系樹脂がグラフト重合している重合体であって、前記スチレンアクリル系樹脂が、下記式（２）：
【化１】
2019101279.tif 000005
［前記式（２）中、Ｒ1は水素原子又はメチル基を表し、Ｒ2は飽和脂環式基を表す。］
で表されるモノマーユニットを有しており、
前記着色剤が、下記式（１）で示される化合物（１）を含有し、
前記マゼンタトナー粒子中の前記化合物（１）の含有量が、前記結着樹脂１００質量部に対して０．５質量部以上２０．０質量部以下であり、
前記着色剤が、前記化合物（１）以外に、さらに、ナフトール系化合物、キナクリドン系化合物、及びそれらのレーキ化合物からなる群より選ばれる少なくとも１種の化合物を含有し、
透過型電子顕微鏡（ＴＥＭ）観察による前記マゼンタトナー粒子の断面において、観察される前記結晶性ポリエステルの結晶が分散しており、
前記結晶の断面の長さが５０ｎｍ以下である
ことを特徴とするマゼンタトナー。
【化２】
2019101279.tif 000006
【請求項２】
前記結着樹脂が、非晶性ポリエステル樹脂を含有する請求項１に記載のマゼンタトナー。
【請求項３】
前記マゼンタトナー粒子中の前記結晶性ポリエステルの含有量が、前記結着樹脂１００質量部に対して１．０質量部以上１５．０質量部以下である請求項１又は２に記載のマゼンタトナー。
【請求項４】
前記モノマーユニットが、シクロヘキシルアクリレートユニット又はシクロヘキシルメタクリレートユニットである請求項１〜３のいずれか１項に記載のマゼンタトナー。
【請求項５】
シアントナー、ブラックトナー、イエロートナー、及びマゼンタトナーを有するトナーキットであり、
前記マゼンタトナーが、請求項１〜４のいずれかに記載のマゼンタトナーであり、
前記ブラックトナーが、結着樹脂、着色剤、ワックス、ワックス分散剤及び結晶性ポリエステルを含有するブラックトナー粒子を有するブラックトナーであり、
前記イエロートナーが、結着樹脂、着色剤、ワックス、ワックス分散剤及び結晶性ポリエステルを含有するイエロートナー粒子を有するイエロートナーであり、
前記シアントナーが、結着樹脂、着色剤、ワックス、ワックス分散剤及び結晶性ポリエステルを含有するシアントナー粒子を有するシアントナーであり、
前記ブラックトナー粒子、前記イエロートナー粒子、及び前記シアントナー粒子中の前記ワックス分散剤が、それぞれ、炭化水素化合物にスチレンアクリル系樹脂がグラフト重合している重合体であって、前記スチレンアクリル系樹脂が、それぞれ、下記式（２）：
【化３】
2019101279.tif 000007
［前記式（２）中、Ｒ1は水素原子又はメチル基を表し、Ｒ2は飽和脂環式基を表す。］
で表されるモノマーユニットを有しており、
透過型電子顕微鏡（ＴＥＭ）観察による前記ブラックトナー粒子、前記イエロートナー粒子、及び前記シアントナー粒子の断面において、それぞれ、針状で観察される前記結晶性ポリエステルの結晶が分散しており、前記結晶の断面の長軸長さが、それぞれ、６０ｎｍ以上２５０ｎｍ以下である
ことを特徴とするトナーキット。
【請求項６】
前記ブラックトナー粒子、前記イエロートナー粒子、及び前記シアントナー粒子中の前記結着樹脂が、それぞれ、非晶性ポリエステル樹脂を含有する請求項５に記載のトナーキット。
【請求項７】
前記ブラックトナー粒子、前記イエロートナー粒子、及び前記シアントナー粒子中の前記結晶性ポリエステルの含有量が、それぞれ、前記結着樹脂１００質量部に対して１．０質量部以上１５．０質量部以下である請求項５又は６に記載のトナーキット。
【請求項８】
前記ブラックトナー粒子、前記イエロートナー粒子、及び前記シアントナー粒子中の前記モノマーユニットが、それぞれ、シクロヘキシルアクリレートユニット又はシクロヘキシルメタクリレートユニットである請求項５〜７のいずれか１項に記載のトナーキット。
【請求項９】
前記マゼンタトナー粒子中の前記着色剤の含有量が、前記結着樹脂１００質量部に対して５．０質量部以上２０．０質量部以下である請求項５〜８のいずれか１項に記載のトナーキット。
【請求項１０】
前記マゼンタトナー粒子、前記ブラックトナー粒子、前記イエロートナー粒子、及び前記シアントナー粒子中の前記結晶性ポリエステルの溶解性パラメータＳＰ１と前記ワックス分散剤の溶解性パラメータＳＰ２が、それぞれ、下記式の関係を満たす請求項５〜９のいずれか１項に記載のトナーキット。
０≦ＳＰ１−ＳＰ２≦１．３